(57)【要約】【課題】発光素子の光波長のバラツキに起因する受光素子の出力変化を抑制して、読み取り画像の画質を向上させること。【解決手段】イメージセンサ１は、光源部３の光波長域の異なる複数のＬＥＤを発光タイミングをずらして発光させた光が、原稿に照射されて反射され、受光部５のＣＣＤアレイ６に入射されるまでの光路上に、該各ＬＥＤの分光特性の光波長域において該光波長域よりも狭い光波長域に光透過領域を有するフィルタを配設している。したがって、ＬＥＤがその分光特性の光波長域にバラツキがあり、かつ、原稿の反射特性に傾きがあっても、これらの影響を、フィルタの狭い光波長域の光透過特性によって吸収することができ、ＣＣＤアレイ６の出力を安定させることができる。【選択図】          図１
2009135917.tif 000002
【特許請求の範囲】
【請求項１】
所定の光波長域に分光特性を有する発光素子を有し、前記発光素子を発光させて照射対象物に光を出射する光源部と、
前記発光素子の光波長域に感度を有する受光素子を有し、前記照射対象物からの反射光または透過光を前記受光素子で受光して光電変換する受光部と、
前記発光素子から前記照射対象物を経て前記受光素子に至るまでの光路上に配設され、前記発光素子の分光特性の光波長域よりも狭く、かつ前記発光素子の光波長領域のバラツキの範囲を含む光透過領域を有するフィルタと、
を備えたことを特徴とする光学装置。
【請求項２】
原稿に読み取り光を照射して該原稿で反射または透過された光を光電変換する光学装置を備え、前記光学装置の出力する電気信号によって該原稿の画像を読み取る画像読み取り装置であって、
前記光学装置は、
所定の光波長域に分光特性を有する発光素子を有し、前記発光素子を発光させて照射対象物に光を出射する光源部と、
前記発光素子の光波長域に感度を有する受光素子を有し、前記照射対象物からの反射光または透過光を前記受光素子で受光して光電変換する受光部と、
前記発光素子から前記照射対象物を経て前記受光素子に至るまでの光路上に配設され、前記発光素子の分光特性の光波長域よりも狭く、かつ前記発光素子の光波長領域のバラツキの範囲を含むフィルタと、
を備えたことを特徴とする画像読み取り装置。
【請求項３】
前記光源部は、その分光特性の光波長域の異なる複数の発光素子を備え、前記複数の発光素子をその発光タイミングをずらして発光させ、
前記フィルタは、前記複数の発光素子に対応して複数配設され、
複数のフィルタのそれぞれは、前記フィルタに対応する発光素子の分光特性の光波長域よりも狭く、かつ前記発光素子の光波長領域のバラツキの範囲を含む前記光透過領域を有していることを特徴とする請求項２記載の画像読み取り装置。
【請求項４】
前記光源部は、その分光特性の光波長域の異なる複数の発光素子を備え、前記複数の発光素子をその発光タイミングをずらして発光させ、
前記フィルタは、前記複数の発光素子のそれぞれの分光特性の各光波長域よりも狭く、かつ前記複数の発光素子のそれぞれの光波長領域のバラツキの範囲を含む光透過領域を有していることを特徴とする請求項２記載の画像読み取り装置。
【請求項５】
前記フィルタは、前記光源部の前記発光素子から前記照射対象物に至る光路上に配設されていることを特徴とする請求項２に記載の画像読み取り装置。
【請求項６】
前記光源部は、前記発光素子からの光を前記照射対象物に導光する導光体をさらに備え、
前記フィルタは、前記発光素子から前記導光体へ入射する光の光路上に配設されていることを特徴とする請求項２に記載の画像読み取り装置。
【請求項７】
前記フィルタは、前記照射対象物から前記受光素子に至る光路上に配設されていることを特徴とする請求項２に記載の画像読み取り装置。
【請求項８】
所定の光波長域に分光特性を有する同一種の複数の発光素子の分光特性をそれぞれ計測する第１計測工程と、
前記複数の発光素子それぞれからの光を所定の同一の分光特性を有する原稿に照射して、その反射光を受光した受光素子の出力特性を計測する第２計測工程と、
計測された前記複数の発光素子のそれぞれの分光特性と、前記受光素子の出力特性とに基づいて、前記発光素子の光波長領域のバラツキを求める第３計測工程と、
前記発光素子の分光特性の光波長域よりも狭く、かつ前記発光素子の光波長領域のバラツキの範囲を含む光透過領域を決定する決定工程と、
決定された光透過領域を有するフィルタを製造する製造工程と、
を含むことを特徴とするフィルタ製造方法。
【発明の詳細な説明】
【技術分野】
【０００１】
本発明は、光学装置及び画像読み取り装置に関し、詳細には、発光素子から照射対象物に照射された光の反射光や透過光を利用する光学装置、照射対象物としての原稿の画像を読み取る画像読み取り装置およびフィルタ製造方法に関する。
【背景技術】
【０００２】
カラーファクシミリ、カラースキャナ、カラー複写機、カラー複合装置等に利用される画像読み取り装置は、一般に、予め設定されている大きさのカラー原稿におけるＲＧＢ（赤、緑、青）それぞれの光波長の発光素子を搭載する光学ユニットを備えており、該光学ユニットのＲＧＢ各色の発光素子の発光タイミングを切り替えて発光させて原稿に読み取り光を照射し、該読み取り光が原稿で反射された反射光を、光学ユニットの受光素子に結像させて、該光学ユニットの受光素子から原稿の画像を電気信号として出力する。
【０００３】
このカラー画像読み取り装置の光学ユニットの発光素子としては、一般的に、ＬＥＤ（Light Emitting Diode）素子が広く用いられている（特許文献１参照）。
【０００４】
ところが、ＬＥＤ素子は、一般的に、製造上のバラツキにより分光特性上の光波長域にバラツキがあり、このようなバラツキのある光波長域を有したＬＥＤを用いて原稿画像の読み取りを行うと、画像特性にひずみが発生するため、従来から、読み取り画像データに対して各種画像処理を施している（特許文献２参照）。
【０００５】
【特許文献１】特開２００４−１４４８５９号公報
【特許文献２】特開２００５−３３８３４号公報
【発明の開示】
【発明が解決しようとする課題】
【０００６】
しかしながら、従来技術にあっては、ＬＥＤの製造上のバラツキについては、考慮されているが、その他の光学系の精度に影響を与える課題については、考慮されておらず、画像の読み取り精度等の照射対象物に照射して反射された光の利用上の精度を向上させる上で、改良の必要があった。
【０００７】
すなわち、同種のＬＥＤでも光波長にバラツキを有するため、原稿の色の分光特性が同じである照射対象物の原稿を用いた場合でも、ＬＥＤの光波長のバラツキの範囲と原稿の分光特性が重なって、原稿からの反射光や透過光を光電変換して得られる電気信号レベル（すなわち、イメージセンサの出力）が変化し、読み取り画像の画像品質が悪化するという問題があった。
【０００８】
本発明は、上記に鑑みてなされたものであって、発光素子の光波長のバラツキに起因する受光素子の出力変化を抑制して、読み取り画像の画質を向上させることができる光学装置、画像読み取り装置およびフィルタ製造方法を提供することを目的とする。
【課題を解決するための手段】
【０００９】
上述した課題を解決し、目的を達成するために、本発明にかかる光学装置は、所定の光波長域に分光特性を有する発光素子を有し、前記発光素子を発光させて照射対象物に光を出射する光源部と、前記発光素子の光波長域に感度を有する受光素子を有し、前記照射対象物からの反射光または透過光を前記受光素子で受光して光電変換する受光部と、前記発光素子から前記照射対象物を経て前記受光素子に至るまでの光路上に配設され、前記発光素子の分光特性の光波長域よりも狭く、かつ前記発光素子の光波長領域のバラツキの範囲を含む光透過領域を有するフィルタと、を備えたことを特徴とする。
【００１０】
また、本発明にかかる画像読み取り装置は、原稿に読み取り光を照射して該原稿で反射または透過された光を光電変換する光学装置を備え、前記光学装置の出力する電気信号によって該原稿の画像を読み取る画像読み取り装置であって、前記光学装置は、所定の光波長域に分光特性を有する発光素子を有し、前記発光素子を発光させて照射対象物に光を出射する光源部と、前記発光素子の光波長域に感度を有する受光素子を有し、前記照射対象物からの反射光または透過光を前記受光素子で受光して光電変換する受光部と、前記発光素子から前記照射対象物を経て前記受光素子に至るまでの光路上に配設され、前記発光素子の分光特性の光波長域よりも狭く、かつ前記発光素子の光波長領域のバラツキの範囲を含むフィルタと、を備えたことを特徴とする。
【００１１】
また、本発明にかかるフィルタ製造方法は、所定の光波長域に分光特性を有する同一種の複数の発光素子の分光特性をそれぞれ計測する第１計測工程と、前記複数の発光素子それぞれからの光を所定の同一の分光特性を有する原稿に照射して、その反射光を受光した受光素子の出力特性を計測する第２計測工程と、計測された前記複数の発光素子のそれぞれの分光特性と、前記受光素子の出力特性とに基づいて、前記発光素子の光波長領域のバラツキを求める第３計測工程と、前記発光素子の分光特性の光波長域よりも狭く、かつ前記発光素子の光波長領域のバラツキの範囲を含む光透過領域を決定する決定工程と、決定された光透過領域を有するフィルタを製造する製造工程と、を含むことを特徴とする。
【発明の効果】
【００１２】
本発明は、発光素子から出射された光が、照射対象物に照射されて反射または透過され、受光素子に入射されるまでの光路上に、発光素子の分光特性の光波長域よりも狭く、かつ発光素子の光波長領域のバラツキの範囲を含む光透過領域を有するフィルタを配設しているので、発光素子から光を、同じ分光特性を有する照射対象物に照射した場合に、発光素子の光波長のバラツキによる電気信号の変換を、発光素子の分光特性の光波長域よりも狭い光波長域のフィルタの光透過特性によって吸収することができ、発光素子の光波長のバラツキに起因する受光素子の出力変化を抑制して、読み取り画像の画質を向上させることができるという効果を奏する。
【発明を実施するための最良の形態】
【００１３】
以下に添付図面を参照して、この発明にかかる光学装置及び画像読み取り装置の最良な実施の形態を詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１４】
図１〜図２４は、本発明の光学装置及び画像読み取り装置の一実施の形態を示す図であり、図１は、本発明の光学装置及び画像読み取り装置の一実施の形態を適用したイメージセンサ１の分解斜視図である。
【００１５】
図１において、イメージセンサ１は、光学筐体２内に光源部３、レンズ４及び受光部５が、図２に示すように収納され、光学筐体２の上部開口面は、コンタクトガラス７によって塞がれる。受光部５は、受光素子としてＣＣＤ（Charge Coupled Device ）アレイ６が設けられている。コンタクトガラス７の外表面には、コンタクトガラス７に近接する状態で照射対象物である原稿Ｇｐが配置され、イメージセンサ１は、この原稿Ｇｐに光を照射してその反射光量に応じた電気信号を出力する。
【００１６】
光源部３は、その発光素子として、ＬＥＤ（Light Emitting Diode）素子が用いられているが、方式としては、図３に示すように、赤色ＬＥＤ、緑色ＬＥＤ及び黄色ＬＥＤと３原色ともにＬＥＤを用いるマルチチップ方式（図３（ａ）参照）と、青色ＬＥＤと黄色蛍光体（図３（ｂ）参照）または紫外ＬＥＤとＲＧＢ蛍光体を用いるシングルチップ方式（図３（ｃ）参照）のいずれの方式であってもよい。
【００１７】
また、光源部３は、図４（ａ）及び図４（ｂ）に示すように、ＬＥＤ部３ａと導光体３ｂとで構成されて、ＬＥＤ部３ａから出射される光を導光体３ｂが長さ方向（原稿幅方向：主走査方向）に均等に導光して原稿Ｇｐに照射させるタイプのものであってもよいし、図５（ａ）または図５（ｂ）に示すように、導光体を備えておらず、ＬＥＤアレイ３ｃが原稿幅方向に配設されたものであってもよい。ＬＥＤアレイ３ｃは、複数の発光素子としてのＬＥＤが、複数個原稿幅方向に列状に配設されている。なお、図５（ａ）は、２灯構成の場合を示しており、図５（ｂ）は、１灯構成の場合を示している。
【００１８】
レンズ４としては、図６（ａ）及び図６（ｂ）に示すセルフォックレンズアレイ４ａを用いたもの、図７（ａ）及び図７（ｂ）に示すルーフミラーレンズアレイ４ｂ、レンズアレイ４ｃ及び分離ミラー４ｄを用いたもの、図８（ａ）〜（ｃ）に示す板状レンズアレイ４ｅを用いたもの、あるいは、図９に示すテレセントリックレンズアレイ４ｆを用いたものいずれであってもよい。
【００１９】
なお、上記説明では、イメージセンサ１が、図１０に示すように、いわゆる等倍イメージセンサであって、１ラインセンサである場合について説明したが、イメージセンサとしては、１ラインセンサに限るものではなく、複数ラインセンサであってもよい。
【００２０】
また、イメージセンサ１としては、等倍型に限るものではなく、図１１に示すように、縮小型光学系のイメージセンサであってもよい。縮小型光学系の場合、例えば、図１１に示すように、光源３としてＲＧＢのＬＥＤ３ｓｒ、３ｓｇ、３ｓｂを用い、コンタクトガラス７を通して原稿Ｇｐで反射された反射光をミラー８で反射して、レンズ９を通してＣＣＤアレイ６に照射する。
【００２１】
そして、光源部３がマルチチップ方式の光源で、図１２に示すように、ＲＧＢのＬＥＤ３ｒ、３ｇ、３ｂを有している場合、各ＬＥＤ３ｒ、３ｇ、３ｂには、駆動電流Ｉｂ、Ｉｒ、Ｉｇが供給されるが、この駆動電流Ｉｂ、Ｉｒ、Ｉｇは、図１３に示すように、それぞれタイミングをずらして供給される。
【００２２】
イメージセンサ１は、図１３に示したように、タイミングをずらして供給される駆動電流Ｉｂ、Ｉｒ、ＩｇによってＬＥＤ３ｒ、３ｇ、３ｂが順次駆動されて発光し、このタイミングをずらして発光されるＬＥＤ３ｒ、３ｇ、３ｂからの出射される光が読み取り光としてコンタクトガラス７を通して原稿Ｇｐに照射され、原稿Ｇｐで反射された反射光をレンズ４を通して受光部５のＣＣＤアレイ６に入射する。
【００２３】
ＣＣＤアレイ６は、原稿Ｇｐで反射されて入射される反射光の反射光量に対応する電荷量の電気信号をＣＣＤ出力として出力する。
【００２４】
このようなイメージセンサ１は、ファクシミリ装置、複写装置、複合装置、スキャナ装置等の画像読み取り装置に適用され、このＣＣＤアレイ６の出力を、図示しないアナログフロントエンド部で、Ａ／Ｄ変換して、図１４に示す画像処理部２０の画像入力部２１に入力する。
【００２５】
画像処理部２０は、図１４に示すように、画像入力部２１、シェーディング補正部２２、ライン間補間部２３、ＲＧＢγ補正２４、ＲＧＢ・ＹＣｂＣｒ変換部２５、フィルタ部２６、ＹＣｂＣｒ・ＲＧＢ変換部２７、副走査変倍部２８、主走査変倍部２９、誤差拡散／ディザ部３０、ＲＧＢ入力グレイ出力部３１、誤差拡散／ディザ部３２、ＲＧＢ入力ＲＧＢ出力部３３、ＲＧＢ・ＣＭＹＫ色空間変調部３４、ＣＭＹＫγ補正部３５、誤差拡散・ディザ部３６及びＲＧＢ入力ＣＭＹＫ出力部３７等を有しており、イメージセンサ１からのＲＧＢ画像入力を、グレイ出力する画像処理ライン、ＲＧＢ出力する画像処理ライン及びＣＭＹＫ出力する画像処理ラインがある。
【００２６】
画像処理部２０は、イメージセンサ１から入力されたＲＧＢの画像データをシェーディング補正部２２に入力し、シェーディング補正部２２は、光源部３の光量の主走査方向の分布バラツキやＣＣＤアレイ６からＡ／Ｄ変換部の出力までの特性に起因する主走査方向の画像信号のバラツキを補正して、ライン間補間部２３に出力する。ライン間補間部２３は、イメージセンサ１のＣＣＤアレイ６から出力されるＲＧＢの各色の信号に存在する等倍時の各ライン間の位置ズレを補正してＲＧＢγ補正部２４に出力し、ＲＧＢγ補正部２４は、ＲＧＢの反射率データをＲＧＢの濃度データに変換してＲＧＢ・ＹＣｂＣｒ変換部２５に出力する。
【００２７】
ＲＧＢ・ＹＣｂＣｒ変換部２５は、ＲＧＢの画像データをＹＣｂＣｒの画像データに変換して、フィルタ部２６に出力し、フィルタ部２６はＹデータに対して、フィルタ処理を施してグレイスケール画像データについては副走査変倍部２８に渡し、カラー画像データについては、ＹＣｂＣｒ・ＲＧＢ変換部２７に渡す。
【００２８】
ＹＣｂＣｒ・ＲＧＢ変換部２７は、ＹＣｂＣｒの画像データをＲＧＢの画像データに変換して、副走査変倍部２８に出力する。
【００２９】
副走査変倍部２８は、画像データを副走査方向において、例えば、８．０％〜２００．０％の範囲で変倍処理して、主走査変倍部２９に渡し、主走査変倍部２９は、画像データを主走査方向において、例えば、８．０％〜２００．０％の範囲で変倍処理して、グレースケール画像データについては誤差拡散／ディザ部３０に、ＲＧＢ画像データについては、誤差拡散／ディザ部３２またはＲＧＢ・ＣＭＹＫ色空間変調部３４に出力する。
【００３０】
誤差拡散／ディザ部３０は、誤差拡散やディザ処理によってグレースケールの画像データに対して階調処理を施して、ＲＧＢ入力グレイ出力部３１に渡し、ＲＧＢ入力グレイ出力部３１は、誤差拡散／ディザ部３０から渡された８ｂｉｔのグレースケール画像データを出力する。
【００３１】
誤差拡散／ディザ部３２は、主走査変倍部２９から渡されたＲＧＢの画像データに対して誤差拡散やディザ処理によって階調処理を施して、ＲＧＢ入力ＲＧＢ出力部３３に渡し、ＲＧＢ入力ＲＧＢ出力部３３は、誤差拡散／ディザ部３２からのＲＧＢ画像データを画像メモリに補完したり、コンピュータや画像形成装置等の画像処理装置に出力する。
【００３２】
ＲＧＢ・ＣＭＹＫ色空間変調部３４は、主走査変倍部２９から渡されたＲＧＢの画像データをＣＭＹＫ画像データに変換して、ＣＭＹＫγ補正部３５に渡し、ＣＭＹＫγ補正部３５は、ＣＭＹＫ画像データに対してγ補正を施して誤差拡散・ディザ部３６に渡す。
【００３３】
誤差拡散・ディザ部３６は、ＣＭＹＫγ補正部３５からのＣＭＹＫ画像データに対して誤差拡散やディザ処理によって階調処理を施して、ＲＧＢ入力ＣＭＹＫ出力部３７に渡し、ＲＧＢ入力ＣＭＹＫ出力部３７は、誤差拡散／ディザ部３２からのＣＭＹＫ画像データをプリンタ等に出力して、プリンタ等での印刷出力に供する。
【００３４】
そして、本実施の形態のイメージセンサ１は、上述のように、光源部３のＬＥＤ部３ａから出射された光がコンタクトガラス７を通して原稿Ｇｐに照射され、原稿Ｇｐで反射された光がレンズ４を通してＣＣＤアレイ６に入力されるが、このＬＥＤ部３ａからＣＣＤアレイ６に至る光路上に、図示しないが、ＬＥＤ部３ａに配設されているＬＥＤの分光特性の光波長域と重なる光波長領域を有するとともに、該ＬＥＤの光波長領域よりも狭い光波長領域を光透過領域とするフィルタが配設されている。このフィルタは、ＬＥＤ部３ａが、図３（ａ）及び図１２に示したマルチチップ方式であってＲＧＢそれぞれにＬＥＤ３ｒ、３ｇ、３ｂを備えている場合には、各ＬＥＤ３ｒ、３ｇ、３ｂの光波長域において上記光透過領域を有するフィルタが配設され、ＬＥＤ部３ａが図３（ｂ）、（ｃ）に示したシングルチップ方式の場合には、１つのＬＥＤの光波長域において光透過領域を有するフィルタが配設される。
【００３５】
そして、フィルタは、光源部３のＬＥＤから原稿Ｇｐに至る光路上、例えば、光源部３内に設けてもよいし、原稿Ｇｐから受光部５のＣＣＤアレイ６に至る光路上、例えば、レンズ４部分や受光部５のＣＣＤアレイ６手前に設けてもよい。また、フィルタは、光源部３に設ける場合、光源部３が導光体３ｂを備えている場合には、導光体３ｂの入射部に設けてもよく、導光体３ｂの入射部にフィルタを設けると、フィルタ面積を小さくすることができる。
【００３６】
次に、本実施の形態の作用を説明する。本実施の形態のイメージセンサ１は、ＬＥＤ部３ａからＣＣＤアレイ６に至る光路上に、ＬＥＤの分光特性のバラツキの範囲の光波長域と重なる波長領域を有するとともに、該ＬＥＤの該分光特性の光波長域よりも狭い波長領域を透過領域とするフィルタを配設することで、ＬＥＤと照射対象物である原稿Ｇｐの光特性の影響を抑制して、原稿Ｇｐからの反射光の利用性を向上させている。
【００３７】
すなわち、ＬＥＤは、製造上のバラツキにより、例えば、図１５に示すように、その分光特性の光波長域にバラツキがある。図１５では、分光特性が分光特性曲線Ｈａを中心として、分光特性曲線Ｈｂ、Ｈｃで示すように、バラツキがある。なお、図１５において、横軸は波長（ｎｍ）、縦軸は、分光特性値であり、図１５の分光特性曲線Ｈａ〜Ｈｃは、画像処理部２０のシェーディング補正部２２で黒補正と白補正を実施するものとして、積算した値で正規化したものである。
【００３８】
イメージセンサ１を使用して照射対象物に光を照射して、その反射光を利用する場合、例えば、画像読み取り装置に適用した場合、このようにＬＥＤが分光特性の光波長域にバラツキを有しているだけでなく、照射対象物である原稿Ｇｐにおいても、図１６に示すように、少なくともＬＥＤの分光特性の光波長と重なる波長領域において反射特性に傾きを有する原稿Ｇｐがある。なお、図１６において、横軸は、波長（ｎｍ）であり、縦軸は、原稿Ｇｐの反射特性値を示している。
【００３９】
イメージセンサ１を用いて、このような反射特性に傾きを有する原稿Ｇｐに、光源部３の図１５に示した分光特性にバラツキを有するＬＥＤから光を照射した場合、原稿Ｇｐの表面での分光・反射特性は、図１７に示すように、ＬＥＤの分光特性と原稿Ｇｐの反射特性を乗算した特性曲線ｈａ、ｈｂ、ｈｃとなる。
【００４０】
そして、図１５の分光特性曲線Ｈａ、Ｈｂ、Ｈｃを有するＬＥＤから出射された光を、図１６の反射特性を有する原稿Ｇｐで反射した反射光をイメージセンサ１の受光部５に導入して、受光部５のＣＣＤアレイ６で光電変換した場合、受光部５のＣＣＤアレイ６の受光感度が平坦な特性を有しているものとすると、図１８に示すように、ＬＥＤの分光特性曲線Ｈａ、Ｈｂ、Ｈｃの光に対応するＣＣＤアレイ６の出力（ＣＣＤアレイ出力）Ｈａｓ、Ｈｂｓ、Ｈｃｓは、図１７のＬＥＤの各特性曲線ｈａ、ｈｂ、ｈｃを積分した値と比例するものとなる。なお、図１８のＣＣＤアレイ出力Ｈａｓ、Ｈｂｓ、Ｈｃｓは、ＬＥＤの各特性曲線ｈａ、ｈｂ、ｈｃの積分値を、特性曲線ｈａの積分値Ｈａｓを「１」として、他の特性曲線ｈｂ、ｈｃの積分値Ｈｂｓ、Ｈｃｓを正規化したものである。
【００４１】
すなわち、光源部３のＬＥＤアレイ３ｃの発光波長がずれると、同じ色のＬＥＤアレイ３ｃを駆動している場合であっても、受光部５のＣＣＤアレイ６の出力レベルが変化し、原稿Ｇｐの読み取り画像が悪化する。すなわち、イメージセンサ１の利用性が悪いという問題がある。
【００４２】
このような問題は、上述のように、ＬＥＤの分光特性の光波長域のバラツキと原稿Ｇｐの反射特性の傾きに原因があり、特に、ＬＥＤの分光特性の光波長域自体にバラツキがない場合には、発生しない。ところが、市販されているＬＥＤは、ランク分けされており、バラツキの小さいＬＥＤは、ランクが高く、イメージセンサ１に使用するＬＥＤの選別条件を厳しくするほど、ランクが高くなる。ところが、ＬＥＤは、そのランクが高くなるほど、コストが高くなり、複数の色のＬＥＤをイメージセンサ１の光源部３のＬＥＤ部３ａに組み込む場合には、該色数分のＬＥＤが全て同じランクのものを用いる必要がある。その結果、イメージセンサ１は、ＬＥＤの色数が増えると、色数分だけコストがべき乗に高くなり、高価なものとなる。
【００４３】
そこで、本実施の形態のイメージセンサ１は、光源部３のＬＥＤ部３ａから受光部５のＣＣＤアレイ６に至る光路上に、ＬＥＤの分光特性の光波長域のバラツキの範囲と重なる光波長域に光透過領域を有するとともに、該ＬＥＤの該分光特性の光波長域のバラツキの範囲よりも狭い光波長域を光透過領域とするフィルタを配設している。このフィルタは、例えば、ＬＥＤ部３のＬＥＤが、図１５に示したように、５２０ｎｍ付近を中心とする光波長域に、その分光特性にバラツキを有する場合、図１９に示すように、例えば、５００ｎｍから５５０ｎｍの光波長域に光透過領域を有するフィルタを用いる。
【００４４】
いま、ＬＥＤ部３ａのＬＥＤが、その分光特性に図１５に示したようなバラツキを有している場合、上記図１９に示した光波長帯域に光透過領域を有するフィルタを、例えば、光源部３から原稿Ｇｐに照射されるまでの光路上に設けた場合、ＬＥＤの分光特性の各バラツキでのフィルタを通過したときの分光・透過特性は、図２０に示すように、ＬＥＤアレイ３ｃの分光特性値（特性曲線）ｈａ、ｈｂ、ｈｃとフィルタの透過特性値（図１９では、透過特性値を「１」としている。）を乗算した値の分光・透過特性曲線ｈａｆ、ｈｂｆ、ｈｃｆとなる。
【００４５】
この分光・透過特性曲線ｈａｆ、ｈｂｆ、ｈｃｆの光による受光部５のＣＣＤアレイ６の出力に対して、画像処理部２０のシェーディング補正部２２で黒補正と白補正を実施するものとすると、図２１に示すような分光・透過・白黒特性曲線ｈａｆｓ、ｈｂｆｓ、ｈｃｆｓとなる。
【００４６】
そして、このような分光・透過特性曲線ｈａｆ、ｈｂｆ、ｈｃｆを有し、白黒補正を考慮した分光・透過・白黒特性曲線ｈａｆｓ、ｈｂｆｓ、ｈｃｆｓの光が、図１６に示した反射特性に傾きを有する原稿Ｇｐに照射されて、該原稿Ｇｐで反射され、受光部５のＣＣＤアレイ６に入射されて、画像処理部２０のシェーディング補正部２２で黒補正と白補正が実施されるものとした場合、受光部５のＣＣＤアレイ６に入力される光の特性値（分光・透過・白黒補正・反射特性値）は、図２２に示すように、ＬＥＤの分光特性値、フィルタの光透過特性値及び原稿Ｇｐの反射特性値を乗算した分光・透過・白黒補正・反射特性曲線ｈａｆｓｇ、ｈｂｆｓｇ、ｈｃｆｓｇとなる。
【００４７】
したがって、受光部５のＣＣＤアレイ６の出力（ＣＣＤアレイ出力）Ｈａｓｓ、Ｈｂｓｓ、Ｈｃｓｓは、図２３に示すように、図２２の各ＬＥＤの分光・透過・白黒補正特性曲線ｈａｆｓ、ｈｂｆｓ、ｈｃｆｓを積分した値と比例するものとなり、図１５に比較して、ＬＥＤの分光特性のバラツキがあっても、ＣＣＤアレイ６の出力Ｈａｓｓ、Ｈｂｓｓ、Ｈｃｓｓの変動を抑制することができる。なお、図２３は、各ＬＥＤの分光・透過・白黒補正・反射特性曲線ｈａｆｓ、ｈｂｆｓ、ｈｃｆｓの積分値を、分光・透過・白黒補正・反射特性曲線ｈａｆｓを「１」として、他の特性曲線ｈｂｆｓ、ｈｃｆｓの積分値を正規化したものである。
【００４８】
なお、上記説明では、照射対象物がポジの原稿Ｇｐであって、該原稿ＧｐでＬＥＤからの光が反射される場合について説明したが、照射対象物は、ポジ原稿Ｇｐに限るものではなく、例えば、ネガフィルム等のようなネガの原稿等であってもよい。このようなネガのフィルム等の原稿の場合には、受光部５を光源部３と対向する位置に配置して、光源部３からの光を該ネガの照射対象物を透過させて、該ネガの照射対象物を透過した光を受光部５のＣＣＤアレイ６で受光するが、この光源部３のＬＥＤから受光部５のＣＣＤアレイ６に至る光路上に上記フィルムを配設する。
【００４９】
このように、本実施の形態のイメージセンサ１は、光源部３のＬＥＤから出射された光が、照射対象物に照射されて反射または透過され、受光部５のＣＣＤアレイ６に入射されるまでの光路上に、ＬＥＤの分光特性の光波長域に該光波長域よりも狭い光波長域の光透過領域を有するフィルタを配設している。
【００５０】
したがって、ＬＥＤの分光特性の光波長域にバラツキがあり、かつ、照射対象物の反射特性や透過特性に傾きがあっても、これらの光波長域のバラツキ及び反射特性や透過特性の影響を、ＬＥＤの分光特性の光波長域よりも狭い光波長域のフィルタの光透過特性によって吸収することができ、ＣＣＤアレイ６からの出力の利用性を向上させることができる。
【００５１】
なお、フィルタは、光源部３のＬＥＤ部３ａがマルチチップ方式で、複数個のＬＥＤ３ｒ、３ｇ、３ｂを有している場合には、マルチバンドパスフィルタや図２４に示すような光透過特性を有するトリプルバンドパスフィルタを用いることができる。例えば、ＬＥＤ部３ａが、３個のＬＥＤ３ｒ、３ｇ、３ｂを備えているときには、各ＬＥＤ３ｒ、３ｇ、３ｂのそれぞれの分光特性の光波長域に該光波長域よりも狭い光波長域の光透過領域を有したトリプルバンドパスフィルタを用いる。
【００５２】
さらに、フィルタとして、誘電体層膜のフィルタを用いる場合、誘電体層膜のフィルタは、透過しない波長の光を反射するので、特に、フィルタをレンズや受光部５に形成する場合には、迷光やフレアへの影響を防止するために、反射光を吸収する吸収物質を分散させる等の反射光吸収処理を施す。
【００５３】
上記の実施の形態では、ＬＥＤが分光特性の光波長域におけるバラツキと、照射対象物である原稿ＧｐがＬＥＤの分光特性の光波長と重なる波長領域において反射特性に傾きを有する場合について説明した。
【００５４】
更に、上述した他、同種のＬＥＤでも光波長にバラツキを有するため、原稿の色の分光特性が同じである照射対象物の原稿を用いた場合でも、ＬＥＤの光波長のバラツキの範囲と原稿の分光特性が重なって、原稿からの反射光や透過光を光電変換して得られる電気信号レベルが変化する。図２５は、波長に対するシアン色の原稿の分光特性を示すグラフである。図２５において、横軸は、波長（ｎｍ）であり、縦軸は、原稿Ｇｐの分光特性値（反射特性値）を示している。
【００５５】
イメージセンサ１を用いて、このような分光特性の原稿Ｇｐに、光源部３の図１５に示した分光特性にバラツキを有するＬＥＤから光を照射した場合、原稿Ｇｐの表面での分光特性（反射特性）は、図２６に示すように、ＬＥＤの分光特性と原稿Ｇｐの反射特性を乗算した特性曲線ｈａ、ｈｂ、ｈｃとなる。図２６は、ＬＥＤから緑色の波長の光をシアンの図２５の分光特性を有するシアンの原稿に照射した場合における反射光の分光特性を示すグラフである。
【００５６】
そして、図１５の分光特性曲線Ｈａ、Ｈｂ、Ｈｃを有するＬＥＤから出射された光を、図２５の分光特性を有する原稿Ｇｐで反射した反射光をイメージセンサ１の受光部５に導入して、受光部５のＣＣＤアレイ６で光電変換した場合、受光部５のＣＣＤアレイ６の受光感度が平坦な特性を有しているものとすると、図２７に示すように、ＬＥＤの分光特性曲線Ｈａ、Ｈｂ、Ｈｃの光に対応するＣＣＤアレイ６の出力（ＣＣＤアレイ出力）Ｈａｓ、Ｈｂｓ、Ｈｃｓは、図２６のＬＥＤの各特性曲線ｈａ、ｈｂ、ｈｃを積分した値と比例するものとなる。なお、図２７のＣＣＤアレイ出力Ｈａｓ、Ｈｂｓ、Ｈｃｓは、ＬＥＤの各特性曲線ｈａ、ｈｂ、ｈｃの積分値を、特性曲線ｈａの積分値Ｈａｓを「１」として、他の特性曲線ｈｂ、ｈｃの積分値Ｈｂｓ、Ｈｃｓを正規化したものである。
【００５７】
このように、同種のＬＥＤでも光波長にバラツキを有するため、原稿の色の分光特性が同じである照射対象物の原稿を用いた場合でも、ＬＥＤの光波長のバラツキの範囲と原稿の分光特性が重なって、原稿からの反射光や透過光を光電変換して得られる電気信号レベルが変化し、イメージセンサ１の出力に変化を生じて、読み取り画像の画像品質が悪化する。
【００５８】
そこで、本実施の形態のイメージセンサ１は、光源部３のＬＥＤ部３ａから受光部５のＣＣＤアレイ６に至る光路上に、ＬＥＤの分光特性の光波長域のバラツキの範囲と重なる光波長域に光透過領域を有するとともに、該ＬＥＤの該分光特性の光波長域のバラツキの範囲よりも狭い光波長域を光透過領域とするフィルタを配設している。このフィルタは、例えば、ＬＥＤ部３のＬＥＤが、図１５に示したように、５２０ｎｍ付近を中心とする光波長域に、その分光特性にバラツキを有する場合、図２８に示すように、例えば、５１２ｎｍから５２２ｎｍ程度の光波長域に光透過領域を有するフィルタを用いる。
【００５９】
このようなフィルタを用いて、上述と同様にＣＣＤアレイ６の出力に対してシェーディング補正部２２による補正を行った出力値Ｈａｓｓ，Ｈｂｓｓ，Ｈｃｓｓは、図２９のグラフに示すようになる。図２９からわかるように、出力値Ｈａｓｓ，Ｈｂｓｓ，Ｈｃｓｓのバラツキは、図２７に示すフィルタを用いない場合のＣＣＤアレイ６の出力値Ｈａｓ，Ｈｂｓ，Ｈｃｓのバラツキの約１／２程度となっている。このため、フィルタを用いることにより、イメージセンサ１、すなわちＣＣＤアレイ６の出力変化を抑制し、読み取り画像の画像品質を向上させることができる。
【００６０】
ここで、このようなフィルタを製造するためには、上記のような光波長域に分光特性を有する同一種の複数のＬＥＤの分光特性をそれぞれ計測する工程をまず実施する。これにより、図１５に示すようなＬＥＤの分光特性が得られる。そして次に、複数のＬＥＤそれぞれからの光を所定の図１６や図２５等の同一の分光特性を有する原稿Ｇｐに照射する。そして、原稿Ｇｐからの反射光を受光したＣＣＤアレイ６の出力特性を計測する。そして、計測された複数の同一種のＬＥＤのそれぞれの分光特性と、原稿Ｇｐからの反射光を受光したＣＣＤアレイ６の出力特性とから、ＬＥＤの光波長領域のバラツキを求める工程を実施する。ここで、ＬＥＤの光波長領域のバラツキは、図１７、図２６に示される出力Ｈａ，Ｈｂ，Ｈｃ、図１８、図２７、図２９における出力値Ｈａｓ，Ｈｂｓ，Ｈｃｓから求める。そして、次に、ＬＥＤの分光特性の光波長域よりも狭く、かつＬＥＤの光波長領域のバラツキの範囲を含む光透過領域を決定する工程を実施する。ここで、ＬＥＤの光波長領域のバラツキの範囲を含む光透過領域としては、一例として図１９、図２８、図３０に示されるような範囲を決定する。そして、決定された光透過領域を有するフィルタを従来と同様の方法で製造する工程を実施する。これにより、本実施の形態のフィルタが製造されることになる。
【００６１】
なお、図２８に示す例では、フィルタを５１２ｎｍから５２２ｎｍ程度の光波長域に光透過領域を有するものとして構成したが、この光透過領域は狭い程ＣＣＤアレイ６の出力変化を抑制する効果が向上する。しかしながら、光透過領域を狭くすると、光量低下に起因するＳ／Ｎ比への影響が大きくなる。このため、フィルタの光透過領域を図２８に示す例よりも大きくするように構成してもよい。
【００６２】
図３０は、図２８のフィルタの光透過領域の範囲の約２倍光透過領域の範囲（５０８〜５２８ｎｍ程度）を有するフィルタのフィルタ特性を示すグラフである。このようなフィルタを用いて、上記図１５の例と同じ分光特性を有するＬＥＤから照射光を、上記図２５の例と同じ分光特性を有する原稿Ｇｐに照射して、その反射光をＣＣＤアレイ６で受光し、シェーディング補正を行った後の出力値Ｈａｓｓ，ＨｂＳＳ，Ｈｃｓｓを図２１に示す。図３１に示すように、出力値Ｈａｓｓ，ＨｂＳＳ，Ｈｃｓｓのバラツキは図２９に示す例の出力値のバラツキに比べ多少大きいものとなっているが、Ｓ／Ｎ比の影響を低減することが可能となる。
【００６３】
また、図２５では、シアン色の原稿の分光特性を例にあげ、この原稿Ｇｐを使用した場合のフィルタの光透過範囲について説明したが、イエロー色、マゼンダ色等、他の色についての原稿の分光特性の場合も、上述と同様にフィルタの光透過範囲を定めることができることは言うまでもない。
【００６４】
図３２は、波長に対するマゼンダ色、シアン色、青色の原稿の分光特性を示するグラフである。図３３は、波長に対する黄色、シアン色、緑色の原稿の分光特性を示するグラフである。図３４は、波長に対する黄色、マゼンダ色、シアン色の原稿の分光特性を示するグラフである。波長が異なるＬＥＤの場合においても，これら傾きをもった分光特性の原稿を用いて分光特性のバラツキの範囲を含むように、フィルタの光透過範囲を定めればよい。
【００６５】
また、本実施の形態のイメージセンサ１は、複合装置、複写装置、ファクシミリ装置等の画像読み取り装置に適用している。
【００６６】
したがって、画像読み取り装置の読み取る読み取り画像の画像品質を向上させることができ、読み取り画像データの利用性を向上させることができる。
【００６７】
さらに、本実施の形態のイメージセンサ１は、光源部３が分光特性の光波長域の異なる３個のＬＥＤ３ｒ、３ｇ、３ｂを有する場合、これらのＬＥＤ３ｒ、３ｇ、３ｂを発光タイミングをずらして発光させ、該ＬＥＤ３ｒ、３ｇ、３ｂから出射された光が、原稿Ｇｐに照射されて反射され、受光部５のＣＣＤアレイ６に入射されるまでの光路上に、該ＬＥＤ３ｒ、３ｇ、３ｂに対応して３つのフィルタが配設され、各フィルタが、該対応するＬＥＤ３ｒ、３ｇ、３ｂの分光特性の光波長域に該光波長域よりも狭い光波長域の光透過領域を有したものとしている。
【００６８】
したがって、発光素子であるＬＥＤ３ｒ、３ｇ、３ｂが安価な低ランクのもので、その分光特性の光波長域にバラツキがあり、かつ、照射対象物である原稿Ｇｐの反射特性に傾きがあっても、これらの分光特性の光波長域のバラツキや反射特性の影響を、各フィルタの対応するＬＥＤ３ｒ、３ｇ、３ｂの分光特性の光波長域よりも狭い光波長域の光透過特性によって吸収することができ、ＣＣＤアレイ６の出力を安定させることができる。その結果、ＣＣＤアレイ６からの出力である画像データの品質を安価に向上させることができ、利用性を安価に向上させることができる。
【００６９】
また、本実施の形態のイメージセンサ１は、フィルタとして、複数のＬＥＤ３ｒ、３ｇ、３ｂの各光波長域にそれぞれ光透過領域を有するとともに、該各光透過領域の光波長域が対応するＬＥＤ３ｒ、３ｇ、３ｂの光波長域よりも狭いものを用いている。
【００７０】
したがって、ＬＥＤ３ｒ、３ｇ、３ｂの分光特性の光波長域のバラツキや原稿Ｇｐの反射特性の影響を、安価でかつ小型のフィルタによって吸収することができ、ＣＣＤアレイ６からの出力である画像データの品質を安価に向上させることができるとともに、イメージセンサ１を小型化することができる。
【００７１】
さらに、本実施の形態のイメージセンサ１は、フィルタが、光源部３のＬＥＤ３ｒ、３ｇ、３ｂから原稿Ｇｐに至る光路上に配設されている。
【００７２】
したがって、原稿Ｇｐに照射される光のバラツキを吸収して、原稿ＧｐからＣＣＤアレイ６に反射される光のバラツキを抑制し、ＣＣＤアレイ６の出力を安定させることができる。その結果、ＣＣＤアレイ６からの出力である画像データの品質を安価に向上させることができ、利用性を安価に向上させることができる。
【００７３】
また、本実施の形態のイメージセンサ１は、光源部５がＬＥＤからの光を原稿Ｇｐに導光する導光体３ｂを備えていて、フィルタが、ＬＥＤから導光体３ｂへ入射する光の光路上、例えば、導光体３ｂの入射部に配設されていてもよい。
【００７４】
このようにすると、フィルタ面積を小さくして、イメージセンサ１を小型化することができる。
【００７５】
さらに、本実施の形態のイメージセンサ１は、フィルタが、原稿ＧｐからＣＣＤアレイ６に至る光路上に配設されていてもよい。
【００７６】
このようにすると、フィルタの取り付けが容易であるとともに、光源部３の構成に左右されず、画像読み取り装置が組み立てられた状態であっても、フィルタを追加することができ、フィルタ無しの製造工程から、フィルタ有りの製造工程に容易に変更して、汎用性を向上させることができる。
【００７７】
また、フィルタは、ＣＣＤアレイ６への入射部やＣＣＤアレイ６の近傍に設けてもよい。
【００７８】
このようにすると、フィルタの取り付けが容易であるとともに、光源部３の構成に左右されず、汎用性を向上させることができる。
【００７９】
以上、本発明者によってなされた発明を好適な実施の形態に基づき具体的に説明したが、本発明は上記のものに限定されるものではなく、その要旨を逸脱しない範囲で種々変更可能であることはいうまでもない。
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【産業上の利用可能性】
【００８０】
本発明は、分光特性にバラツキのある発光素子から原稿等の照射対象物に照射光を照射して照射対象物からの反射光を利用する光照射装置及び画像読み取り装置に利用することができる。
【図面の簡単な説明】
【００８１】
【図１】本実施の形態のイメージセンサの分解斜視図である。
【図２】本実施の形態のイメージセンサの側面断面図である。
【図３】本実施の形態のイメージセンサの光源部のＬＥＤの構成方式の説明図である。
【図４】本実施の形態のイメージセンサの光源部の導光体を有する場合の正面図と平面図である。
【図５】本実施の形態のイメージセンサの光源部の導光体を有していない場合の２灯構成の側面断面図と１灯構成の側面断面図である。
【図６】本実施の形態のイメージセンサのレンズとしてのセルフォックレンズアレイの斜視図である。
【図７】本実施の形態のイメージセンサのレンズとしてのルーフミラーレンズアレイ、レンズアレイ及び分離ミラーの斜視図である。
【図８】本実施の形態のイメージセンサのレンズとしての板状レンズアレイの概略斜視図、正面図及び板ガラスレンズの平面図である。
【図９】本実施の形態のイメージセンサのレンズとしてのテレセントリックレンズアレイの斜視図である。
【図１０】密着型のイメージセンサの概略構成図である。
【図１１】縮小型光学系のイメージセンサの概略構成図である。
【図１２】本実施の形態のイメージセンサのＲＧＢのＬＥＤの駆動説明図である。
【図１３】本実施の形態のイメージセンサのＲＧＢのＬＥＤの駆動タイミング、出力クロック及びＣＣＤ出力のタイミングチャートである。
【図１４】本実施の形態のイメージセンサの出力画像データを処理する画像処理部のブロック構成図である。
【図１５】ＬＥＤのバラツキを有する分光特性を示すグラフである。
【図１６】原稿の反射特性の一例を示すグラフである。
【図１７】図１５の分光特性を有するＬＥＤで図１７の反射特性の原稿に照射したときの反射光の分光・反射特性を示すグラフである。
【図１８】図１７の分光・反射特性の反射光を本実施の形態のイメージセンサのＣＣＤアレイで光電変換した場合の出力特性を示すグラフである。
【図１９】図１５の分光特性を有するＬＥＤに対してイメージセンサに配置されるフィルタの透過特性を示すグラフである。
【図２０】図１５の分光特性を有する各ＬＥＤの光が図１９の透過特性を有するフィルタを透過したときの分光・透過特性を示すグラフである。
【図２１】図２０の分光・透過特性の光に対し白黒補正を考慮したときの分光・透過・白黒補正特性を示すグラフである。
【図２２】図２１の分光・透過・白黒補正特性の光を図１６の反射特性の原稿に照射したときの反射光の分光・透過・白黒補正・反射特性を示すグラフである。
【図２３】図２２の分光・透過・白黒補正・反射特性の光を本実施の形態のイメージセンサのＣＣＤアレイで光電変換した場合の出力特性を示すグラフである。
【図２４】他の例のフィルタの透過特性を示すグラフである。
【図２５】シアン色の原稿の分光特性の他の例を示すグラフである。
【図２６】図２５の分光・反射特性の反射光を本実施の形態のイメージセンサのＣＣＤアレイで光電変換した場合の出力特性を示すグラフである。
【図２７】図１５の分光特性を有するＬＥＤに対してイメージセンサに配置されるフィルタの透過特性を示すグラフである。
【図２８】図１５の分光特性を有する各ＬＥＤの光が図２７の透過特性を有するフィルタを透過したときの分光・透過特性を示すグラフである。
【図２９】図２８の分光・透過特性の光に対し白黒補正を考慮したときの分光・透過・白黒補正特性を示すグラフである。
【図３０】フィルタの分光・透過特性の他の例をグラフである。
【図３１】図３０の分光・透過特性の光に対し白黒補正を考慮したときの分光・透過・白黒補正特性を示すグラフである。
【図３２】波長に対するマゼンダ色、シアン色、青色の原稿の分光特性の他の例を示すグラフである。
【図３３】波長に対する黄色、シアン色、緑色の原稿の分光特性の他の例を示すグラフである。
【図３４】波長に対する黄色、マゼンダ色、シアン色の原稿の分光特性の他の例を示すグラフである。
【符号の説明】
【００８２】
１  イメージセンサ
２  光学筐体
３  光源部
３ａ  ＬＥＤ部
３ｂ  導光体
３ｃ  ＬＥＤアレイ
３ｒ、３ｇ、３ｂ  ＬＥＤ
４  レンズ
４ａ  セルフォックレンズアレイ
４ｂ  ルーフミラーレンズアレイ
４ｃ  レンズアレイ
４ｄ  分離ミラー
４ｅ  板状レンズアレイ
４ｆ  テレセントリックレンズアレイ
５  受光部
６  ＣＣＤアレイ
７  コンタクトガラス
８  ミラー
９  レンズ
２０  画像処理部
２１  画像入力部
２２  シェーディング補正部
２３  ライン間補間部
２４  ＲＧＢγ補正
２５  ＲＧＢ・ＹＣｂＣｒ変換部
２６  フィルタ部
２７  ＹＣｂＣｒ・ＲＧＢ変換部
２８  副走査変倍部
２９  主走査変倍部
３０  誤差拡散／ディザ部
３１  ＲＧＢ入力グレイ出力部
３２  誤差拡散／ディザ部
３３  ＲＧＢ入力ＲＧＢ出力部
３４  ＲＧＢ・ＣＭＹＫ色空間変調部
３５  ＣＭＹＫγ補正部
３６  誤差拡散・ディザ補正部
３７  ＲＧＢ入力ＣＭＹＫ出力部
Ｇｐ  原稿
Ｉｂ、Ｉｒ、Ｉｇ  駆動電流
Ｈａ〜Ｈｃ  分光特性曲線
ｈａ、ｈｂ、ｈｃ  特性曲線
Ｈａｓ、Ｈｂｓ、Ｈｃｓ  ＣＣＤアレイ出力
ｈａｆ、ｈｂｆ、ｈｃｆ  分光・透過特性曲線
ｈａｆｓ、ｈｂｆｓ、ｈｃｆｓ  分光・透過・白黒補正特性曲線
ｈａｆｓｇ、ｈｂｆｓｇ、ｈｃｆｓｇ  分光・透過・白黒補正・反射特性曲線
Ｈａｓｓ、Ｈｂｓｓ、Ｈｃｓｓ  ＣＣＤアレイ出力
【図１】
2009135917.tif 000003
【図２】
2009135917.tif 000004
【図３】
2009135917.tif 000005
【図４】
2009135917.tif 000006
【図５】
2009135917.tif 000007
【図６】
2009135917.tif 000008
【図７】
2009135917.tif 000009
【図８】
2009135917.tif 000010
【図９】
2009135917.tif 000011
【図１０】
2009135917.tif 000012
【図１１】
2009135917.tif 000013
【図１２】
2009135917.tif 000014
【図１３】
2009135917.tif 000015
【図１４】
2009135917.tif 000016
【図１５】
2009135917.tif 000017
【図１６】
2009135917.tif 000018
【図１７】
2009135917.tif 000019
【図１８】
2009135917.tif 000020
【図１９】
2009135917.tif 000021
【図２０】
2009135917.tif 000022
【図２１】
2009135917.tif 000023
【図２２】
2009135917.tif 000024
【図２３】
2009135917.tif 000025
【図２４】
2009135917.tif 000026
【図２５】
2009135917.tif 000027
【図２６】
2009135917.tif 000028
【図２７】
2009135917.tif 000029
【図２８】
2009135917.tif 000030
【図２９】
2009135917.tif 000031
【図３０】
2009135917.tif 000032
【図３１】
2009135917.tif 000033
【図３２】
2009135917.tif 000034
【図３３】
2009135917.tif 000035
【図３４】
2009135917.tif 000036